(57)【要約】      （修正有）【課題】カードを容易に収容したり取り出したりすることができると共に複数のカードを整理、管理して所持することができるジャバラカードケースを提供する。【解決手段】ジャバラカードケース１０を構成するケース本体１２はケース本体折曲部を介して第１ケース本体部１６と第２ケース本体部１８が連続形成されている。前記ケース本体１２の内部にはカード収容体ホルダー２４が配設されている。このカード収容体ホルダー２４のホルダー第１側シート部３０とホルダー第２側シート部３２の間にはマチ形成カード収容体３４と複数のカード収容体３６がジャバラ状に連結されて設けられている。このマチ形成カード収容体３４とカード収容体３６は袋状に形成されている。【選択図】図１
0003159857.tif 000002
【実用新案登録請求の範囲】
【請求項１】
ケース本体折曲部を介して第１ケース本体部と第２ケース本体部が連続形成されたケース本体と、このケース本体に設けられると共にケース本体を開閉できるファスナーと、前記ケース本体に内設されるカード収容体ホルダーと、このカード収容体ホルダーの外側に形成されると共にシート折曲部を介してホルダー第１側シート部とホルダー第２側シート部が形成されたホルダーシート体と、このホルダーシート体の内側に設けられた袋状のマチ形成カード収容体と、前記ホルダーシート体の内側に前記マチ形成カード収容体と連結して設けられると共にジャバラ状に連結された複数の袋状のカード収容体と、を有してなることを特徴とするジャバラカードケース。
【請求項２】
ケース本体折曲部を介して第１ケース本体部と第２ケース本体部が連続形成されたケース本体と、このケース本体に設けられると共にケース本体を開閉できるファスナーと、前記ケース本体に内設されるカード収容体ホルダーと、このカード収容体ホルダーの外側に形成されると共にシート折曲部を介してホルダー第１側シート部とホルダー第２側シート部が形成されたホルダーシート体と、前記ホルダー第１側シート部とホルダー第２側シート部の間に設けられると共にマチ形成カード収容体第１側片とマチ形成カード収容体第２側片によって開口部を有する袋状に形成されたマチ形成カード収容体と、前記ホルダー第１側シート部とホルダー第２側シート部の間に前記マチ形成カード収容体と連結して設けられ、カード収容体第１側片とカード収容体第２側片によって開口部を有する袋状に形成されると共にジャバラ状に複数連結されたカード収容体と、を有してなることを特徴とするジャバラカードケース。
【考案の詳細な説明】
【技術分野】
【０００１】
本考案は、多数のカードを容易に収容、取り出すことができるジャバラカードケースに関する。
【背景技術】
【０００２】
カード社会といわれている現代社会においては多岐の分野にわたりクレジットカード、プリペードカード、ポイントカード、図書カード、診察券等の各種カードが発行されている。
このため、現代人の多くは一人一人が多数のカードを所持、使用しているのが現状である。
従来より多数のカードを所持するためにカードケースやカード収容部を設けた財布が提案されている（特許文献１）。
しかし、従来のカードケースやカード収容部を設けた財布は複数のカードを一つの収容部に収容してしまうタイプやカードを一枚毎にフィットした状態で収容部に収容してしまうタイプのものである。
このため、複数のカードを一つの収容部に収容するタイプのカードケースやカード収容部を設けた財布では色々なカードが一つの収容部に混在してしまうため、カードを取り出す場合に必要なカードをすばやく取り出すことが困難であると共にカードの管理が煩雑になる。
また、カードをカード毎に収容部に収容するタイプのカードケースやカード収容部を設けた財布ではカードがフィットした状態で収容部に収容されるので、カードを収容し難かったりカードを取り出し難かったりという不具合がある。
【先行技術文献】
【特許文献】
【０００３】
【特許文献１】特開２００１−２３８７１４公報
【考案の概要】
【考案が解決しようとする課題】
【０００４】
本考案は、上記事実に鑑みなされたものであり、カードを容易に収容したり取り出したりすることができると共に複数のカードを整理、管理して所持することができるジャバラカードケースを提供するものである。
【課題を解決するための手段】
【０００５】
請求項１の考案は、ケース本体折曲部を介して第１ケース本体部と第２ケース本体部が連続形成されたケース本体と、このケース本体に設けられると共にケース本体を開閉できるファスナーと、前記ケース本体に内設されるカード収容体ホルダーと、このカード収容体ホルダーの外側に形成されると共にシート折曲部を介してホルダー第１側シート部とホルダー第２側シート部が形成されたホルダーシート体と、このホルダーシート体の内側に設けられた袋状のマチ形成カード収容体と、前記ホルダーシート体の内側に前記マチ形成カード収容体と連結して設けられると共にジャバラ状に連結された複数の袋状のカード収容体と、を有してなることを特徴としている。
請求項２の考案は、ケース本体折曲部を介して第１ケース本体部と第２ケース本体部が連続形成されたケース本体と、このケース本体に設けられると共にケース本体を開閉できるファスナーと、前記ケース本体に内設されるカード収容体ホルダーと、このカード収容体ホルダーの外側に形成されると共にシート折曲部を介してホルダー第１側シート部とホルダー第２側シート部が形成されたホルダーシート体と、前記ホルダー第１側シート部とホルダー第２側シート部の間に設けられると共にマチ形成カード収容体第１側片とマチ形成カード収容体第２側片によって開口部を有する袋状に形成されたマチ形成カード収容体と、前記ホルダー第１側シート部とホルダー第２側シート部の間に前記マチ形成カード収容体と連結して設けられ、カード収容体第１側片とカード収容体第２側片によって開口部を有する袋状に形成されると共にジャバラ状に複数連結されたカード収容体と、を有してなることを特徴としている。
【考案の効果】
【０００６】
本考案のジャバラカードケースは、１枚のカードは勿論のこと複数のカードも容易に収容したり取り出したりすることができるという優れた効果を有する。
本考案のジャバラカードケースは、複数のカードを整理、管理して所持することができるという優れた効果を有する。
【図面の簡単な説明】
【０００７】
【図１】実施例のジャバラカードケースを開いた状態の全体斜視図である。
【図２】実施例のジャバラカードケースを開いた状態の全体斜視図である。
【図３】実施例のジャバラカードケースを閉じた状態の全体斜視図である。
【考案を実施するための形態】
【０００８】
考案を実施するために最良の形態の例として以下のような実施例を示す。
【実施例１】
【０００９】
図１〜図３には本考案に係るジャバラカードケースの一実施例が示されている。
図３に示されるように、ジャバラカードケース１０を構成するケース本体１２はケース本体折曲部１４を介して第１ケース本体部１６と第２ケース本体部１８が連続形成されている。この第１ケース本体部１６と第２ケース本体部１８の３辺にはファスナー２０が取り付けられている。従って、ファスナー２０のファスナースライダー２２をスライドさせることにより、前記ケース本体１２を開閉できるようになっている。
図１に示されるように、前記ケース本体１２の内部にはケース本体１２と共にジャバラカードケース１０を構成するカード収容体ホルダー２４が配設されている。
このカード収容体ホルダー２４の外側にはホルダーシート体２６が形成されている。このホルダーシート体２６は中央部に設けられたシート折曲部２８を介してホルダー第１側シート部３０とホルダー第２側シート部３２が連続形成されている。前記シート折曲部２８は前記ケース本体折曲部１４と接着され、ホルダー第１側シート部３０は前記第１ケース本体部１６と接着され、ホルダー第２側シート部３２は前記第２ケース本体部１８と接着されている。
前記ホルダー第１側シート部３０とホルダー第２側シート部３２の間にはカード（図示せず）が収容されるマチ形成カード収容体３４と複数のカード収容体３６がジャバラ状に連結されて設けられている。
このマチ形成カード収容体３４は矩形状のマチ形成カード収容体第１側片３４Ａと矩形状のマチ形成カード収容体第２側片３４Ｂによって開口部３４Ｃを有する袋状に形成されている。また、マチ形成カード収容体３４の側面にはマチ部３４Ｄ，３４Ｄが対向して形成されている。このため、マチ形成カード収容体３４は収容容積が大きいので、カードだけでなく紙幣やコイン等も収容できるようになっている。
図２に示されるように、前記カード収容体３６は矩形状のカード収容体第１側片３６Ａと矩形状のカード収容体第２側片３６Ｂによって開口部３６Ｃを有する袋状に形成されている。
また、複数のカード収容体３６は互いに隣り合うカード収容体３６のカード収容体第１側片３６Ａとカード収容体第２側片３６Ｂがカード収容体３６の開口部３６Ｃ近傍で糸３８によって縫着されて連結されている。
図１に示されるように、前記マチ形成カード収容体３４のマチ形成カード収容体第２側片３４Ｂにはカード収容体取付片４０が設けられている。前記マチ形成カード収容体３４の隣のカード収容体３６はカード収容体第１側片３６Ａが前記カード収容体取付片４０と開口部３６Ｃ近傍で糸３８によって縫着されている。
図２に示されるように、前記ホルダー第２側シート部３２にはカード収容体取付片４２が設けられている。前記ホルダー第２側シート部３２の隣のカード収容体３６はカード収容体第２側片３６Ｂが前記カード収容体取付片４２と開口部３６Ｃ近傍で糸３８によって縫着されている。
従って、カード収容体ホルダー２４のマチ形成カード収容体３４と複数のカード収容体３６はジャバラ状に連結され、第１ケース本体部１６と第２ケース本体部１８を閉じればカード収容体ホルダー２４の厚みは薄くなるが、第１ケース本体部１６と第２ケース本体部１８を開けると図１及び図２に示されるようにカード収容体ホルダー２４は扇状になるようになっている。
図３に示されるように、前記第１ケース本体部１６の外側にはポケット４４が形成されている。
このポケット４４は直ぐに使用するカードであって予め前記マチ形成カード収容体３４やカード収容体３６から取り出しておいたカードを入れておけば直ぐにカードを使用することができる。
【００１０】
次に、実施例のジャバラカードケース１０の作用について説明する。
ジャバラカードケース１０にカードを入れる場合はファスナースライダー２２をスライドさせてケース本体１２を開ける。
そして、前記ケース本体１２の第１ケース本体部１６と第２ケース本体部１８を離間方向に開けると、カード収容体ホルダー２４が図１、図２に示すように扇状に開いてマチ形成カード収容体３４の開口部３４Ｃ及びカード収容体３６の開口部３６Ｃが大きく開く。
従って、前記マチ形成カード収容体３４やカード収容体３６にカードを容易に収容することができる。また、前記マチ形成カード収容体３４の開口部３４Ｃ及びカード収容体３６の開口部３６Ｃは大きく開くので、マチ形成カード収容体３４、カード収容部３６の中に多数のカードを容易に収容することができる。
なお、マチ形成カード収容体３４の開口部３４Ｃ及びカード収容体３６の開口部３６Ｃは大きく開くのでカードをマチ形成カード収容体３４やカード収容部３６に収容する場合にカードがマチ形成カード収容体３４やカード収容体３６と強く接触したり、カード同士が強く擦れ合ってカードが損傷することを防止できる。
前記マチ形成カード収容体３４、カード収容体３６に収容されているカードを取り出す場合も前記マチ形成カード収容体３４の開口部３４Ｃ、カード収容部３６の開口部３６Ｃは大きく開くのでカードを容易に取り出すことができると共にカードがマチ形成カード収容体３４やカード収容体３６と強く接触したり、カード同士が強く擦れ合ってカードが損傷することを防止できる。
なお、前記カード収容体ホルダー２４はマチ形成カード収容体３４と複数のカード収容体３６を備えているので、使用するカードをカードの種類毎に複数のカード収容体３６に分けて収容することもできるので、多種多様のカードを多数所有していてもカードを整理して所有することができるのでカードの保管、管理にも便利である。
また、カードを収容し終わった場合やカードを取り出した場合はファスナースライダー２２をスライドさせることにより、ケース本体１２を閉じればカードが脱落するのを確実に防止することができる。
なお、前記マチ形成カード収容体３４はカード収容体３６に比べて容積が大きいのでカード以外にコインや紙幣等を収容してもよい。
【００１１】
なお、ジャバラカードケース１０は複数のカード収容体３６を備えているが、カード収容体３６の数は実施例で示す数に限定されないことは勿論である。
【産業上の利用可能性】
【００１２】
本考案のジャバラカードケースは、カード以外のものを収容する場合にも使用することができる。
【符号の説明】
【００１３】
１０    ジャバラカードケース
１２    ケース本体
１４    ケース本体折曲部
１６    第１ケース本体部
１８    第２ケース本体部
２０    ファスナー
２２    ファスナースライダー
２４    カード収容体ホルダー
２６    ホルダーシート体
２８    シート折曲部
３０    ホルダー第１側シート部
３２    ホルダー第２側シート部
３４    マチ形成カード収容体
３４Ａ  マチ形成カード収容体第１側片
３４Ｂ  マチ形成カード収容体第２側片
３４Ｃ  開口部
３４Ｄ  マチ部
３６    カード収容体
３６Ａ  カード収容体第１側片
３６Ｂ  カード収容体第２側片
３６Ｃ  開口部
４０    カード収容体取付片
４２    カード収容体取付片
【図１】
0003159857.tif 000003
【図２】
0003159857.tif 000004
【図３】
0003159857.tif 000005